(57)【要約】      （修正有）【課題】水冷却装置をインターフェースカードに取り付けやすく、パイプラインが緩み外れて漏水が起こることを防ぎ、クイックコネクタによりスムーズにその他の冷却装置にも接続できるインターフェースカードの流体放熱の固定装置を提供する。【解決手段】インターフェースカード５を冷却させる水冷却装置１と、水冷却装置に設けられた熱ドレンパイプ１２と、水冷却装置に設けられ且つ熱ドレンパイプの片側に位置する冷ドレンパイプ１１と、冷ドレンパイプに設けられ且つ水冷却装置の反対側の第一クイックコネクタ１１１と、熱ドレンパイプに設けられ且つ水冷却装置の反対側の第二クイックコネクタ１１２と、インターフェースカードの片側に固定され且つ熱ドレンパイプ及び冷ドレンパイプを固定させる固定構造２と、からなる。使用者は固定構造を用いて熱ドレンパイプ及び冷ドレンパイプを固定させる。【選択図】図２
0003213431.tif 000002
【実用新案登録請求の範囲】
【請求項１】
一つの水冷却装置と、一つの冷ドレンパイプと、一つの熱ドレンパイプと、一つの第一クイックコネクタと、一つの第二クイックコネクタと、一つの固定構造と、からなるインターフェースカードの流体放熱の固定装置であって、
前記水冷却装置は一つのインターフェースカードを冷却し、
前記冷ドレンパイプは前記水冷却装置に設けられ、
前記熱ドレンパイプは前記水冷却装置に設けられるとともに、前記冷ドレンパイプの片側に位置し、
前記第一クイックコネクタは、前記冷ドレンパイプにおける前記水冷却装置から離れた一端に設けられ、
前記第二クイックコネクタは、前記熱ドレンパイプにおける前記水冷却装置から離れた一端に設けられ、
前記固定構造は前記インターフェースカードの片側に設けられるとともに、前記熱ドレンパイプ及び前記冷ドレンパイプを固定させることを特徴とする、インターフェースカードの流体放熱の固定装置。
【請求項２】
前記水冷却装置には、少なくとも一つの熱伝導シートが設けられることを特徴とする、請求項１に記載のインターフェースカードの流体放熱の固定装置。
【請求項３】
前記水冷却装置には、前記インターフェースカードを結合させる複数個の結合部が設けられることを特徴とする、請求項１に記載のインターフェースカードの流体放熱の固定装置。
【請求項４】
前記水冷却装置の片側には、一つの放熱ファンが設けられることを特徴とする、請求項１に記載のインターフェースカードの流体放熱の固定装置。
【請求項５】
前記放熱ファンには、少なくとも一つの放熱フィンが設けられることを特徴とする、請求項４に記載のインターフェースカードの流体放熱の固定装置。
【請求項６】
前記水冷却装置及び前記放熱ファンには、一つの外ケースが設けられることを特徴とする、請求項４に記載のインターフェースカードの流体放熱の固定装置。
【請求項７】
前記水冷却装置には、前記熱ドレンパイプ及び前記冷ドレンパイプを結合させる複数個の密着部が設けられることを特徴とする、請求項１に記載のインターフェースカードの流体放熱の固定装置。
【請求項８】
前記水冷却装置は一つの水冷ポンプであることを特徴とする、請求項１に記載のインターフェースカードの流体放熱の固定装置。
【考案の詳細な説明】
【技術分野】
【０００１】
本考案は、インターフェースカードの流体放熱の固定装置に関し、特に、インターフェースカードに装着しやすく、またパイプラインが緩み外れて漏水を生じさせることがなく、さらにその他の冷却装置にスムーズに接続することが可能なインターフェースカードの流体放熱の固定装置に関する。
【背景技術】
【０００２】
電子機器のインターフェースカードなどの電子部品は、作動時に大量の熱が生じ、もし直ちに放熱しなければ電子部品の温度が高温になり過ぎ、また、電子部品が高温下で作動している場合、その作動効率が低くなり、焼けてしまうことさえあるゆえに、電子部品の温度を下げるために、通常は電子部品に放熱装置を設けることで、放熱を速める。ただし、電子装置の体積がますます小さくなっているため、狭い空間内に多くの放熱装置を設置するには、熱空気対流の方式によって放熱の目的を達成するのであるが、実際にこれは容易ではない。このため、水冷式放熱装置に換えて電子部品に放熱を行うが、現在放熱システムの大勢としては、この装置は取水管及び排水管を含むため、前記水冷式放熱装置の作動時、モーターまたはポンプの作動によって、冷却液体を入水管から入れ、同時に電子部品の熱量を吸収した後の冷却液体を排水管から排出し、電子部品の熱量を吸収した後の冷却液体はヒートシンクを通過して降温させた後、再び水冷式放熱装置にリフローして電子部品に放熱を行い、これによって達到迅速に熱交換を行い循環冷却の目的を達成することができる。
【０００３】
しかしながら、上記のような従来の水冷式放熱装置は、インターフェースカードに取り付けた時、パイプラインが引っ張られ、またはパイプラインの接合が十分でなくなることにより、パイプラインが緩み外れて漏水が生じる可能性があり、電子部品が水に触れると通常は漏電または故障の危険があり、また同時に複数の水冷式放熱装置を使用する必要がある時、更に多くのパイプラインを接続する必要があるため、更にパイプラインの漏水のリスクが増加し、使用において非常に不都合である。
【考案の概要】
【考案が解決しようとする課題】
【０００４】
本考案は、水冷却装置及び熱ドレンパイプ及び冷ドレンパイプの設計によって、流体を利用して迅速にインターフェースカードを冷却させ、インターフェースカードを安定的に作動させることを主な目的とする。
【０００５】
本考案は、固定構造の設計によって、熱ドレンパイプ及び冷ドレンパイプを固定させ、人為的な取付けミスのために、パイプラインが外れて漏水を引き起こすのを防ぐことをもう一つの主な目的とする。
【０００６】
本考案は、第一クイックコネクタ及び第二クイックコネクタの設計によって、その他の水冷却装置またはヒートシンクにスムーズに接続させ、使用しやすくすることをさらに別の主な目的とする。
【課題を解決するための手段】
【０００７】
上記の目的を達成することができる本考案の主な構造は、一つの水冷却装置と、一つの冷ドレンパイプと、一つの熱ドレンパイプと、からなる。前記水冷却装置はインターフェースカードに設けられるとともに、インターフェースカードを冷却させ、前記冷ドレンパイプは水冷却装置に設けられるとともに、温度の低い水流を冷却装置に送り込み、前記熱ドレンパイプは水冷却装置に設けられるとともに、熱交換後の温度が高い水を放出させる。更に重要なこととして、冷ドレンパイプ及び熱ドレンパイプにおける前記水冷却装置から離れた一端にそれぞれ一つの第一クイックコネクタ及び第二クイックコネクタが設けられ、その他の水冷却装置またはヒートシンクにスムーズに接続させ、さらに、インターフェースカードの片側に一つの固定装置を設け、前記熱ドレンパイプ及び前記冷ドレンパイプを固定させる。このようにして、使用者が水冷却装置を取り付けまたは複数個の水冷却装置に接続させる時、パイプラインが固定されるゆえ、引っ張られることで緩んで外れることがなく、またクイックコネクタを利用して接続させることで、使いやすく且つ安全だという効果が得られ、実際的な進歩性を備える。
【考案の効果】
【０００８】
上記の技術によって、従来の水冷式放熱装置において、パイプラインが引っ張られる、または接合が十分でないことによりパイプラインが緩んで外れて漏水を引き起こし、電子部品の漏電または故障を引き起こすという問題、及び同時に複数の水冷式放熱装置を使用する必要がある時、パイプラインの漏水のリスクが高まるという問題に対して解決策を提示できる。本考案は上記のような長所があり実用進歩性を備える。
【図面の簡単な説明】
【０００９】
【図１】本考案の好ましい実施例の立体図である。
【図２】本考案の好ましい実施例の透視図である。
【図３】本考案の好ましい実施例の作動概略図である。
【図４】本考案のもう一つの好ましい実施例の直列概略図である。
【考案を実施するための形態】
【００１０】
図１及び図２を参照する。図１及び図２はそれぞれ、本考案の好ましい実施例の立体図及び透視図である。図からはっきり分かるように、本考案は、一つの水冷却装置１と、少なくとも一つの熱伝導シート１４と、複数個の結合部１３と、一つの冷ドレンパイプ１１と、一つの第一クイックコネクタ１１１と、一つの熱ドレンパイプ１２と、一つの第二クイックコネクタ１１２と、複数個の密着部１５と、一つの固定構造２と、一つの放熱ファン３と、少なくとも一つの放熱フィン３１と、一つの外ケース４と、からなる。
【００１１】
前記水冷却装置１は、インターフェースカード５に設けられるとともに、インターフェースカード５を冷却し、前記熱伝導シート１４は水冷却装置１及びインターフェースカード５の間に設けられ、また水冷却装置１には前記インターフェースカード５を結合させる前記結合部１３が設けられる。
【００１２】
前記冷ドレンパイプ１１は、前記水冷却装置１に設けられ、前記第一クイックコネクタ１１１は、冷ドレンパイプ１１における前記水冷却装置１から離れた一端に設けられる。
【００１３】
前記熱ドレンパイプ１２は、前記水冷却装置１に設けられ且つ前記冷ドレンパイプ１１の片側に位置し、前記第二クイックコネクタ１１２は熱ドレンパイプ１２における前記水冷却装置１から離れた一端に設けられる。
【００１４】
前記水冷却装置１には、前記熱ドレンパイプ１２及び前記冷ドレンパイプ１１を結合させる前記密着部１５が設けられる。
【００１５】
前記固定構造２は、前記インターフェースカード５の片側に設けられるとともに、前記熱ドレンパイプ１２及び前記冷ドレンパイプ１１を固定させる。
【００１６】
前記放熱ファン３は、前記水冷却装置１の片側に設けられ、前記放熱フィン３１は前記放熱ファン３に設けられる。
【００１７】
外ケース４は前記水冷却装置１及び前記放熱ファン３に設けられる。
【００１８】
図１から図３を同時に参照する。図１から図３は、本考案の好ましい実施例の立体図から作動概略図までを示す。図からはっきり分かるように、水冷却装置１は結合部１３によってインターフェースカード５に結合され、また水冷却装置１及びインターフェースカード５の間には熱伝導シート１４が設けられ、インターフェースカード５の熱量を迅速に水冷却装置１にまで伝えることができる。水冷却装置１は一つの水冷ポンプであり、冷却液体を利用してインターフェースカード５の熱量を吸収する。また水は比熱が高く、コストが低く、また手に入りやすいといった特性を備えるため、冷却液体は通常は水である。温度が比較的低い水は冷ドレンパイプ１１を通って水冷却装置１に流れ込み、インターフェースカード５の熱量を吸収した後、熱ドレンパイプ１２を通って流れ出る。また水冷却装置１を流れ出た、温度が比較的高い水はヒートシンク６を通って降温した後、水冷却装置１にリフローし、インターフェースカード５に放熱を行い、迅速に熱交換を行い、冷却循環を行うという目的を達成する。さらに、固定構造２の設計によって、冷ドレンパイプ１１及び熱ドレンパイプ１２を固定させ、使用者が水冷却装置１を取り付けている時、人為的な取付けミスによってパイプラインが緩み外れて漏水が発生することがないようにし、インターフェースカード５などの電子部品の故障または漏電が発生する危険をなくし、また密着部１５は、冷ドレンパイプ１１及び熱ドレンパイプ１２を水冷却装置１にしっかりと結合させる。更に漏水の危険を減らし、さらに冷ドレンパイプ１１及び熱ドレンパイプ１２にそれぞれ第一クイックコネクタ１１１及び第二クイックコネクタ１１２を設け、ヒートシンク６またはその他の水冷却装置１に手軽かつスムーズに結合させることが可能であり、そのほかに、水冷却装置１の片側に放熱ファン３及び放熱フィン３１を設け、インターフェースカード５への降温効果を強化することが可能であり、インターフェースカード５を正常に作動させることができ、過熱により故障することがなく、また外ケース４は水冷却装置１及び放熱ファン３のパイプラインを保護することが可能である。
【００１９】
図４を参照する。図４は、本考案のもう一つの好ましい実施例の直列概略図である。図からはっきり分かるように、複数個のインターフェースカードを降温させる必要がある場合、複数個の水冷却装置１ａを装着し、また第一クイックコネクタ１１１ａ及び第二クイックコネクタ１１２ａを取り付けることによって、冷ドレンパイプ１１ａ及び熱ドレンパイプ１２ａを接続させ、水冷却装置１ａ及びもう一つの水冷却装置１ａを直列させ、さらに一つのヒートシンク６ａを直列させ、このようにして、水冷却装置１ａの装着空間を節約できるとともに、全体としての見た目も良くすることが可能である。
【００２０】
すべての図を参照する。本考案を使用した場合、従来の技術と比べて、以下のような長所が存在する。
一、水冷却装置１及び熱ドレンパイプ１２及び冷ドレンパイプ１１の設計によって流体を利用して迅速にインターフェースカード５を冷却し、インターフェースカード５を安定的に作動させることができる。
二、固定構造２の設計によって熱ドレンパイプ１２及び冷ドレンパイプ１１を固定させ、人為的な取付けミスのためにパイプラインが脱落し漏水を引き起こすのを防ぐことが可能である。
三、第一クイックコネクタ１１１及び第二クイックコネクタ１１２の設計によって迅速にその他の水冷却装置１またはヒートシンク６に接続させることが可能であり、使用において非常に便利である。
【符号の説明】
【００２１】
１、１ａ          水冷却装置
１１、１１ａ      冷ドレンパイプ  
１１１、１１１ａ  第一クイックコネクタ
１１２、１１２ａ  第二クイックコネクタ
１２、１２ａ      熱ドレンパイプ
１３              結合部
１４              熱伝導シート
１５              密着部
２                固定構造
３                放熱ファン
３１              放熱フィン
４                外ケース
５                インターフェースカード
６、６ａ          ヒートシンク
【図１】
0003213431.tif 000003
【図２】
0003213431.tif 000004
【図３】
0003213431.tif 000005
【図４】
0003213431.tif 000006